(57)【特許請求の範囲】
【請求項１】
手持ち手動増速ディアボロにおいて、２つの回転体（１）と、そのうち１つの回転体（１）の外側の中央に装着される押しボタン（２）と、他の回転体（１）の外側の中央に装着される側軸キャップ（３）と、２つの回転体（１）に内設され、且つ２つの回転体（１）を一体に連結する手動増速機構と、及び２つの回転体（１）の間に位置され、紐を巻き付けるための軸受（４）と、を含み、前記手動増速機構の両端がそれぞれ回転体（１）を連結し、且つ押しボタン（２）を押して手動増速機構によって回転体（１）を連動して同期に回転させる、ことを特徴とする手持ち手動増速ディアボロ。
【請求項２】
前記手動増速機構は、スクリュー（５）と、スプリング（６）と、連結スリープ（７）と、側軸受（８）を含み、前記スクリュー（５）が前記押しボタン（２）と連結し、スクリュー（５）に被装される前記スプリング（６）は、押圧されたスクリュー（５）と押しボタン（２）を復位させることができ、前記連結スリープ（７）が前記２つの回転体（１）を一体に連結し、且つスクリュー（５）を介して連結スリープ（７）を連動して回転させ、前記側軸受（８）が側軸キャップ（３）の内側に装着され、且つ側軸受（８）の内孔が連結スリープ（７）の端部に被装される、ことを特徴とする請求項１に記載の手持ち手動増速ディアボロ。
【請求項３】
前記スクリュー（５）と押しボタン（２）の間に制御部材（９）が設けられ、前記押しボタン（２）を内側に押圧する時、制御部材（９）がスクリュー（５）の回転を制限することよりスクリュー（５）を内に向けて作動する時に連結スリープ（７）を連動して回転させ、前記押しボタン（２）が外に向けて復位する時、制御部材（９）のスクリュー（５）に対する制御が外されるため、スクリュー（５）を回転させながら外に向けて作動させる、ことを特徴とする請求項２に記載の手持ち手動増速ディアボロ。
【請求項４】
前記制御部材（９）は、スクリュー（５）の周りを環囲する複数の遊星歯車（９１）であり、前記押しボタン（２）に遊星歯車（９１）を内置するための凹部（２１）が内設され、前記凹部（２１）の片側縁辺に補強リブ（２２）が設けられ、前記スクリュー（５）頂部に遊星歯車（９１）と互いに歯合する対応の頂部歯車（５１）が設けられ、前記押しボタン（２）を内側に押圧する時、遊星歯車（９１）がスクリュー（５）に連動して所定角度で回転した後補強リブ（２２）と係止することにより、スクリュー（５）を内に向けて作動する際の回転を制限する、ことを特徴とする請求項３に記載の手持ち手動増速ディアボロ。
【請求項５】
頂部歯車（５１）とスクリュー（５）の下部とを離隔するように、前記スクリュー（５）において外に向けて延在する円形スペーサー（５２）が設けられ、遊星歯車（９１）が凹部（２１）から離脱するのを防ぐように前記円形スペーサー（５２）が前記押しボタン（２）内における凹部（２１）の開口部をカバーする、ことを特徴とする請求項４に記載の手持ち手動増速ディアボロ。
【請求項６】
頂部歯車（５１）の頂面中央において前記スクリュー（５）の螺孔（５３）が開口され、前記押しボタン（２）の中央に階段孔（２３）が開設され、１つのステップボルト（１０）が押しボタン（２）における階段孔（２３）を貫通して螺孔（５３）に螺入されることにより、スクリュー（５）と押しボタン（２）との一体に固接することを実現する、ことを特徴とする請求項５に記載の手持ち手動増速ディアボロ。
【請求項７】
前記連結スリープ（７）は、相互に螺着される特製のスタッド（７１）と特製のナット（７２）を含み、中央に貫通されて、前記スクリュー（５）と係合する螺孔が設けられる前記特製のスタッド（７１）が押しボタン（２）の所在端の回転体（１）内側の中央に装着され、前記特製のナット（７２）が側軸キャップ（３）の所在端の回転体（１）内側の中央に装着され、且つ回転体（１）内の端部に延入して前記側軸受（８）の内孔に挿着される、ことを特徴とする請求項２に記載の手持ち手動増速ディアボロ。
【請求項８】
前記スクリュー（５）における端部が、前記特製のスタッド（７１）の螺孔から伸出され、且つその端部に座金（５４）が連接されており、前記座金（５４）がボルト（５５）によってスクリュー（５）の端部に係着される、ことを特徴とする請求項７に記載の手持ち手動増速ディアボロ。
【請求項９】
前記特製のナット（７２）の内端部に凸柱が設けられ、側軸受（８）の内孔に延入される前記凸柱の端部に螺孔が開口され、そのスクリューキャップの直径が側軸受（８）の内孔の直径より大きい１つの中間ボルト（８１）を螺孔内に螺入することにより、特製のナット（７２）と側軸受（８）と、及び側軸キャップ（３）とが一体化連結されることを実現する、ことを特徴とする請求項７に記載の手持ち手動増速ディアボロ。
【請求項１０】
前記回転体（１）のキャビティ内に、２つの回転体（１）の重量をバランスするカウンターウェイトワッシャー（１１）が被装され、前記キャビティの辺縁に、中央を開口される化粧カバー（１２）が設けられ、前記押しボタン（２）と側軸キャップ（３）がその開口から２つの回転体（１）の外に伸出される、ことを特徴とする請求項１に記載の手持ち手動増速ディアボロ。
【発明の詳細な説明】
【技術分野】
【０００１】
本発明は１種のディアボロ、具体的に手持ち手動増速ディアボロに関わる。
【背景技術】
【０００２】
伝統的なディアボロの回収システムと軸受システムに制限があり、紐の長さはプレーヤーの身長に正比例になっているため、身長が高くないプレーヤーは持ち遊べない。身長がより高いプレーヤーにとって、ディアボロのボール体を投げ出した後、ボール体が十分な増速領域を有することによってボール体を所定速度まで増速させて多様なプレイを完成できる。しかし、身長がより低いプレーヤーにとっては、ボール体を投げ出す増速領域が短過ぎるため、ボール体の回転速度は足りなくてプレイを完成できなくなる。現在、市場に側軸付きのディアボロは登場され、該側軸が回転体を応じて回転できるようになり、紐でボール体を投げ出して、ボール体の高速回転において、指で左右の側軸を掴んで、同じようにボール体が手の上においてもその回転を維持して得る。しかしこのような設計でも伝統的なディアボロの問題点を解決できず、ただ手元に玩ぶ機能の１つのみを増えたことで、ディアボロを手持ちしながらその回転数を増速させることができないため、身長がやや低いプレーヤーにとっては、依然として持って遊ぶことができず、より数多くの子供たちからの愛着を得にくい。
【発明の概要】
【発明が解決しようとする課題】
【０００３】
本発明の目的は、上記存在する課題を解決し、ディアボロボール体を手に持っている際に増速を行うことができ、非常に興味性に富んでいる手持ち手動増速ディアボロを提供することにある。
【課題を解決するための手段】
【０００４】
本発明の技術手段は下記のように実現される。
【０００５】
１つの手持ち手動増速ディアボロにおいて、２つの回転体と、そのうち１つの回転体の外側中間に装着される押しボタンと、他の回転体の外側中間に装着される側軸キャップと、２つの回転体に内設され、且つ２つの回転体を一体に連結する手動増速機構と、及び２つの回転体の間に位置され、紐を巻き付けるための軸受と、を含み、前記手動増速機構の両端がそれぞれ回転体を連結し、且つ押しボタンを押して手動増速機構によって回転体を連動して同期に回転させる。
【０００６】
また、前記手動増速機構は、スクリューと、スプリングと、連結スリープと、側軸受を含み、前記スクリューが前記押しボタンと連結し、スクリューに被装される前記スプリングは押圧されたスクリューと押しボタンを復位させることができ、前記連結スリープが前記２つの回転体を一体に連結し、且つスクリューを介して連結スリープを連動して回転させ、前記側軸受が側軸キャップの内側に装着され、且つ側軸受の内孔が連結スリープの端部に被装される。
【０００７】
押しボタンを押して回転体の回転を増速し、そして押しボタンを手放す時にスクリューが回転体の回転に影響を与えないことを保証するため、前記スクリューと押しボタンの間に制御部材が設けられ、前記押しボタンを内側に押圧する時、制御部材がスクリューの回転を制限することよりスクリューを内に向けて作動する時に連結スリープを連動して回転させ、前記押しボタンが外に向けて復位する時、制御部材のスクリューに対する制御が外されて、スクリューを回転させながら外に向けて作動させる。
【０００８】
さらに、前記制御部材は、スクリューの周りを環囲する複数の遊星歯車であり、前記押しボタン内に遊星歯車を内置するための凹部が内設され、前記凹部の片側縁辺に補強リブが設けられ、前記スクリュー頂部に遊星歯車と互いに歯合する対応の頂部歯車が設けられ、前記押しボタンを内側に押圧する時、遊星歯車がスクリューに連動されて所定角度で回転した後補強リブと係止することにより、スクリューを内に向けて作動する際の回転を制限する。
【０００９】
部材の着脱、交換に便利を図るため、前記連結スリープは、相互に螺着される特製のスタッドと特製のナットを含み、中間に貫通されて、前記スクリューと係合する螺孔が設けられる前記特製のスタッドは、押しボタンの所在端の回転体内側の中間位置に装着され、前記特製のナットが側軸キャップの所在端の回転体内側の中間位置に装着され、且つ回転体内の端部に延入して前記側軸受の内孔に挿着される。
【００１０】
ディアボロの重心をボール体の中間位置に維持するため、前記回転体のキャビティ内に、２つの回転体の重量をバランスするカウンターウェイトワッシャーが被装され、前記キャビティの辺縁に中間に開口される化粧カバーが設けられ、前記押しボタンと側軸キャップがその開口から２つの回転体の外に伸出される。
【発明の効果】
【００１１】
本発明は、２つの回転体の外側中間にそれぞれ伸出する押しボタンと側軸キャップが設け、２つの回転体内に手動増速機構が設けられており、且つ手動増速機構の両端がそれぞれ回転体と連結させ、また押しボタンを押圧することによって手動増速機構が回転体を連動して回転させる手段を採用するゆえに、ボール体の空転速度が足りない場合、押しボタンを押圧することによって回転体を増速させてボール体の回転時間を延長し、プレーヤーに十分な時間が与えられてより多種の演出ができる。または、ボール体が静止状態になる場合、押しボタンを連続に押圧することによってディアボロボール体を回転させ、回転速度が十分になった後、紐を引っ張ってボール体を手放しても同様に多様な演出ができる。そのため、身長がやや低いプレーヤーであっても該ディアボロを遊んで楽しめる。これによって、該玩具の適用範囲はさらに幅広くなり、より多くの子供たちの遊び要求を満足できると同時に、該ディアボロの遊び方も増えたため、非常に興味性に富んでいる。さらに回転体のキャビティ内にカウンターウェイトワッシャーが被装され、カウンターウェイトワッシャーの重量がボール体両側の重量差により配置することができるゆえに、ボール体両側の重量のバランスを保ち、ボール体の重心を中間の軸受の位置に位置させることができるため、紐でディアボロを連動して回転させる時平穏で回転時間がより長くなるのを有効に保証する。以上説明したように、要は本発明における設計が巧妙で、遊び方が多様であり、非常に興味性に富んでおり、身長がやや低いプレーヤーの遊び要求を満足でき、さらにプレーヤーに創造性のある遊び方を発揮する余裕が残されて、彼らにディアボロ玩具で遊ぶ心をより長い時間をかけて誘われる。
【発明を実施するための形態】
【００１２】
以下で図面を併せて本発明をさらに説明する。
【００１３】
図１から図３までに示されたように、１種の手持ち手動増速ディアボロであって、２つの回転体１と、そのうち１つの回転体１の外側中間に装着される押しボタン２と、他の回転体１の外側中間に装着される側軸キャップ３と、２つの回転体１に内設され、且つ２つの回転体１を一体に連結する手動増速機構と、及び２つの回転体１の間に位置され、紐を巻き付けるための軸受４と、を含み、該手動増速機構の両端がそれぞれ回転体１を連結し、且つ押しボタン２を押して、手動増速機構によって回転体１を連動して回転させるゆえに、ボール体の空転速度が足りない場合、押しボタン２を押圧することによって回転体を増速させて、ボール体の回転時間を延長して、プレーヤーに十分な時間が与えられることにより多種の演出ができる。または、ボール体が静止状態になる場合、押しボタンを連続に押圧することによってボール体を回転させ、回転速度が十分になった後、紐を引っ張ってボール体を手放しても同じように多様な演出ができる。そのため、身長がやや低いプレーヤーであっても該ディアボロを遊んで楽しめる。これによって、該玩具の適用範囲はさらに幅広くなり、より多くの子供たちの遊び要求を満足できると同時に、該ディアボロの遊び方も増えたため、非常に興味性に富んでいる。
【００１４】
図２、または図３に示されたように、該当実施例における手動増速機構は、スクリュー５と、スプリング６と、連結スリープ７と、側軸受８を含み、該スクリュー５が前記押しボタン２と連結し、スクリュー５に被装される前記スプリング６は、押圧されたスクリュー５と押しボタン２を復位させることができ、前記連結スリープ７が前記２つの回転体１を一体に連結させ、且つスクリュー５を介して連結スリープ７を連動して回転させ、前記側軸受８が側軸キャップ３の内側に装着され、且つ側軸受８の内孔が連結スリープ７の端部に被装される。該当実施例において、スクリュー５と押しボタン２の間に制御部材９が設けられ、前記押しボタン２を内側に押圧する時、制御部材９がスクリュー５の回転を制限することよりスクリュー５を内に向けて作動する時に連結スリープ７を連動して回転させ、前記押しボタン２が外に向けて復位する時、制御部材９のスクリュー５に対する制御が外されるため、スクリュー５を回転させながら外に向けて作動させるため、押しボタン２を押す時に回転体の回転を増速でき、押しボタン２を手放してスクリュー５が復位された時に回転体の回転を影響しないことが保証される。図４に示されたように、該当実施例における制御部材９は、スクリュー５の周りを環囲する３つの遊星歯車９１であり、前記押しボタン２に遊星歯車９１を内置するための凹部２１が内設され、凹部２１の片側縁辺に補強リブ２２が設けられ、該補強リブ２２が凹部２１の縁辺に位置される１つの窪みであり、前記スクリュー５頂部に遊星歯車９１と互いに歯合する対応の頂部歯車５１が設けられ、前記押しボタン２を内側に押圧する時、スクリュー５が回転されるため、頂部歯車５１が同時に遊星歯車９１を連動して補強リブ２２の所在方向に向けて回転させ、遊星歯車９１が回転しながら変位を発生し、所定角度で回転した後その歯車の歯が補強リブ２２に嵌められて遊星歯車９１を係止させることにより、スクリュー５の回転を制限する。これによって、その時にスクリュー５が押しボタン２に連動されて回転せずに回転体１の内側に向けて移動することになっており、該頂部歯車５１とスクリュー５の下部とを離隔するように、該スクリュー５に外に向けて延在する円形スペーサー５２が設けられ、遊星歯車９１が凹部２１から離脱するのを防ぐように前記円形スペーサー５２が押しボタン２内における凹部２１の開口部をカバーしており、該スクリュー５が頂部歯車５１の頂面中央において螺孔５３が開口され、押しボタン２の中間に階段孔２３が開設され、１つのステップボルト１０が押しボタン２における階段孔２３を貫通して螺孔５３に螺入されることにより、スクリュー５と押しボタン２との一体に固接することを実現する。
【００１５】
図３に示されたように、該当実施例における前記連結スリープ７は、相互に螺着される特製のスタッド７１と特製のナット７２を含み、特製のスタッド７１の中間を貫通して、スクリュー５と係合する螺孔が設けられてもよく、または中間を円孔として設計し、別途その中間に特製のスタッド７１の円孔と係合する、螺孔が設けられる「Ｔ」状の挿入円柱７３を設置してもよくて、これによりスクリュー５を該「Ｔ」状の挿入円柱７３に螺着させる。該当実施例においては後者の手段を採用した。該特製のスタッド７１が押しボタン２の所在端の回転体１内側の中間位置に装着され、そして特製のナット７２が側軸キャップ３の所在端の回転体１内側の中間位置に装着され、且つ回転体１内の端部に延入して前記側軸受８の内孔に挿着されており、特製のスタッド７１と特製のナット７２が共に回転体１との連結部に挿嵌溝７０が設けられ、回転体１内の開口部に突起するテンプルリング１３が設けられ、挿嵌溝７０とテンプルリング１３とが係合することにより、特製のスタッド７１と特製のナット７２が回転体１との密接することを実現してもよいし、特製のスタッド７１と特製のナット７２がそれぞれ回転体１と一体にプラスチック射出成形されてもよい。該スクリュー５の端部が、前記特製のスタッド７１の螺孔から伸出され、且つその端部に座金５４が連接されており、前記座金５４がボルト５５によってスクリュー５の端部に係着され、座金５４の直径が特製のスタッド７１の螺孔直径より小さく、「Ｔ」状の挿入円柱７３の内孔直径より大きいため、スクリュー５が逆に復位する時に慣性で特製のスタッド７１を離脱することを防止できる。前記特製のナット７２の内端部に凸柱が設けられ、側軸受８の内孔に延入される前記凸柱の端部に螺孔が開口され、そのスクリューキャップの直径が側軸受８の内孔の直径より大きい１つの中間ボルト８１を螺孔内に螺入することにより、特製のナット７２と側軸受８と、及び側軸キャップ３とが一体化連結されることを実現する。該実施例における前記回転体１のキャビティ内にカウンターウェイトワッシャー１１が被装され、カウンターウェイトワッシャー１１の重量がボール体両側の重量差によって配置できるため、ボール体両側重量のバランスを保証して、ボール体の重心を中間軸受４の位置に位置させるゆえに、紐でディアボロを連動して回転させる時平穏で回転時間がより長くなるのを有効に保証する。その外に、美観のため、該実施例におけるキャビティの辺縁に中間に開口される化粧カバー１２が設けられ、回転体１の辺縁部に挿着環状溝が設けられ、化粧カバー１２が超音波を介して回転体１の挿着環状溝に固定されるため、回転体１に化粧カバー１２が固定されることを実現しており、そして指で掴むために、押しボタン２と側軸キャップ３が開口から２つの回転体１の外に伸出される。
【００１６】
該実施例における手動増速ボール体の作動原理は下記の通り：
【００１７】
２本の指でディアボロの左右の押しボタン２と側軸キャップ３を掴み、押しボタン２を指で押圧して、スクリュー５の頂部歯車５１を遊星歯車９１に噛み合わせて、且つ回転させ、遊星歯車９１が所定角度で回転した後押しボタン２内部の補強リブ２２に係止され、その時に押しボタン２、スクリュー５、遊星歯車９１が全体回転せずに回転体１の内部に向けて移動し、スプリング６が圧縮され、そして特製のスタッド７１が摩擦力でスクリュー５の反対方向に向けて回転し、特製のナット７２が同じように特製のスタッド７１に伴って同期に回転することにより、ボール全体を連動して回転させる。以上のステップを繰り返して、ボール体が回転増速になる。必要な所定速度になった時、押しボタン２を手放す際、スプリング６の弾性力で押しボタン２とスクリュー５を復位させており、またボール体が慣性力で回転し続けられて、その際にプレーヤーはボール体を投げ出して多種の演出ができるようになる。
【００１８】
本発明は具体的な実施例を参照して説明するものであるが、このような説明は本発明に対して制限を構成することを意味することではない。本発明の説明を参照して、開示された実施例の他の変形は、当業者にとっては全て予想できるものであり、このような変形は、下記特許請求に限定される範囲内に属するべきである。
【図面の簡単な説明】
【００１９】
【図１】図１は本発明における立体構造の説明図である。
【図２】図２は本発明における断面構造の説明図である。
【図３】図３は本発明における着脱構造の説明図である。
【図４】図４は本発明における押しボタン、スクリュー、及び遊星歯車３者の係合構造の説明図である。
【符号の説明】
【００２０】
１：回転体
１０：ステップボルト
１１：カウンターウェイトワッシャー
１２：化粧カバー
１３：テンプルリング
２：押しボタン
２１：凹部
２２：補強リブ
２３：階段孔
３：側軸キャップ
４：軸受
５：スクリュー
５１：頂部歯車
５２：円形スペーサー
５３：螺孔
５４：座金
５５：ボルト
６：スプリング
７：連結スリープ
７：連結スリープ
７１；スタッド
７２：ナット
７３：「Ｔ」状の挿入円柱
８：側軸受
９：制御部材
９１：遊星歯車
【図１】
0005957147.tif 000002
【図２】
0005957147.tif 000003
【図３】
0005957147.tif 000004
【図４】
0005957147.tif 000005